【手続補正書】
【提出日】平成23年4月15日(2011.4.15)
【手続補正１】
【補正対象書類名】特許請求の範囲
【補正対象項目名】全文
【補正方法】変更
【補正の内容】
【特許請求の範囲】
【請求項１】
顔の静止画像を含む画像を順次表示するために、上記顔の静止画像に対して所定の画像処理を行う画像処理装置であって、
上記顔の静止画像に前後する画像の特徴に応じて、上記複数画像の順次表示の移行の際に、上記顔画像の顔パーツを変形させる画像処理を行う画像処理部を具備することを特徴とする画像処理装置。
【請求項２】
顔画像の静止画を含む複数の画像を順次表示するために、上記顔画像に対して所定の画像処理を行う画像処理装置であって、
上記順次表示における顔画像を含む画像に前後する画像の属する分類を判定する判定部と、
上記判定部での判定結果に応じて、上記順次表示の画像移行時に、上記顔画像の表情を変化させるための画像処理を行う画像処理部と、
を具備することを特徴とする画像処理装置。
【請求項３】
上記画像処理部は、上記順次表示における現在表示中の画像が顔画像を含み、次に表示する画像が顔画像を含まないときに、上記顔画像の顔パーツが次第に変形するような遷移効果を施した後、次の画像表示を行うことを特徴とする請求項２に記載の画像処理装置。
【請求項４】
上記画像処理部は、上記順次表示における現在表示中の画像が顔画像を含まず、次に表示する画像が顔画像を含むときに、上記現在表示中の画像を消去した後、次の顔画像を表示し、上記顔画像の顔パーツが変形した状態から、元の画像に戻る遷移効果を施すことを特徴とする請求項２に記載の画像処理装置。
【請求項５】
顔画像の静止画を含む複数の画像を順次表示するために、上記顔画像に対して所定の画像処理を行う画像処理方法であって、
上記順次表示における顔画像を含む画像に前後する画像の属する分類を判定し、
上記順次表示における顔画像を含む画像に前後する画像の上記分類に応じて、上記順次表示の画像移行時に、上記顔画像の表情を変化させるための画像処理を行う、
ことを特徴とする画像処理方法。
【請求項６】
顔画像の静止画を含む複数の画像を順次表示するために、上記顔画像に対して所定の画像処理を行う動作をコンピュータに実行させるためのプログラムであって、
上記順次表示における顔画像を含む画像に前後する画像の態様に応じて、上記順次表示の画像移行時に、上記顔画像の表情を変化させるための画像処理をコンピュータに実行させることを特徴とする画像処理プログラム。
【請求項７】
外部からのアクセスに応じて、顔画像の静止画を含む複数の画像を順次表示するために、上記顔画像に対して所定の画像処理を実行可能なサーバーであって、
上記順次表示における顔画像を含む画像に前後する画像の属する分類を判定する判定部と、
上記順次表示における顔画像を含む画像に前後する画像の上記分類に応じて、上記順次表示の画像移行時に、上記顔画像の態様を変化させるための画像処理を行う画像処理部と、
この画像処理された画像を仮想空間内で表示するための画像合成部と、
上記画像合成部によって合成された仮想空間内の画像を送信する送信部と、
を具備することを特徴とする画像処理サーバー。
【手続補正２】
【補正対象書類名】明細書
【補正対象項目名】発明の名称
【補正方法】変更
【補正の内容】
【発明の名称】画像処理装置、画像処理方法、画像処理プログラム、および画像処理サーバー
【手続補正３】
【補正対象書類名】明細書
【補正対象項目名】０００１
【補正方法】変更
【補正の内容】
【０００１】
本発明は、画像処理装置、画像処理方法、画像処理プログラム、および画像処理サーバーに関し、詳しくは、スライドショー等のように複数の撮影画像を再生する画像処理装置、画像処理方法、画像処理プログラム、および画像処理サーバーに関する。
【手続補正４】
【補正対象書類名】明細書
【補正対象項目名】０００６
【補正方法】変更
【補正の内容】
【０００６】
本発明は、このような事情を鑑みてなされたものであり、複数の画像を順次再生するにあたって、単調な画像の遷移とはならず、楽しむことのできる画像処理装置、画像処理方法、画像処理プログラム、および画像処理サーバーを提供することを目的とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】変更
【補正の内容】
【００１５】
第１の発明に係わる画像処理装置は、顔の静止画像を含む画像を順次表示するために、上記顔の静止画像に対して所定の画像処理を行う画像処理装置であって、上記顔の静止画像に前後する画像の特徴に応じて、上記複数画像の順次表示の移行の際に、上記顔画像の顔パーツを変形させる画像処理を行う画像処理部を具備する。
【手続補正１４】
【補正対象書類名】明細書
【補正対象項目名】００１６
【補正方法】変更
【補正の内容】
【００１６】
第２の発明に係わる画像処理装置は、顔画像の静止画を含む複数の画像を順次表示するために、上記顔画像に対して所定の画像処理を行う画像処理装置であって、上記順次表示における顔画像を含む画像に前後する画像の属する分類を判定する判定部と、上記判定部での判定結果に応じて、上記順次表示の画像移行時に、上記顔画像の表情を変化させるための画像処理を行う画像処理部と、を具備する。
【手続補正１５】
【補正対象書類名】明細書
【補正対象項目名】００１７
【補正方法】変更
【補正の内容】
【００１７】
第３の発明に係わる画像処理装置は、第２の発明において、上記画像処理部は、上記順次表示における現在表示中の画像が顔画像を含み、次に表示する画像が顔画像を含まないときに、上記顔画像の顔パーツが次第に変形するような遷移効果を施した後、次の画像表示を行う。
【手続補正１６】
【補正対象書類名】明細書
【補正対象項目名】００１８
【補正方法】変更
【補正の内容】
【００１８】
第４の発明に係わる画像処理装置は、第２の発明において、上記画像処理部は、上記順次表示における現在表示中の画像が顔画像を含まず、次に表示する画像が顔画像を含むときに、上記現在表示中の画像を消去した後、次の顔画像を表示し、上記顔画像の顔パーツが変形した状態から、元の画像に戻る遷移効果を施す。
【手続補正１７】
【補正対象書類名】明細書
【補正対象項目名】００１９
【補正方法】変更
【補正の内容】
【００１９】
第５の発明に係わる画像処理方法は、顔画像の静止画を含む複数の画像を順次表示するために、上記顔画像に対して所定の画像処理を行う画像処理方法であって、上記順次表示における顔画像を含む画像に前後する画像の属する分類を判定し、上記順次表示における顔画像を含む画像に前後する画像の上記分類に応じて、上記順次表示の画像移行時に、上記顔画像の表情を変化させるための画像処理を行う。
【手続補正１８】
【補正対象書類名】明細書
【補正対象項目名】００２０
【補正方法】変更
【補正の内容】
【００２０】
第６の発明に係わるコンピュータに実行させる画像処理プログラムは、顔画像の静止画を含む複数の画像を順次表示するために、上記顔画像に対して所定の画像処理を行う動作をコンピュータに実行させるためのプログラムであって、上記順次表示における顔画像を含む画像に前後する画像の態様に応じて、上記順次表示の画像移行時に、上記顔画像の表情を変化させるための画像処理をコンピュータに実行させる。
【手続補正１９】
【補正対象書類名】明細書
【補正対象項目名】００２１
【補正方法】変更
【補正の内容】
【００２１】
第７の発明に係わる画像処理サーバーは、外部からのアクセスに応じて、顔画像の静止画を含む複数の画像を順次表示するために、上記顔画像に対して所定の画像処理を実行可能なサーバーであって、上記順次表示における顔画像を含む画像に前後する画像の属する分類を判定する判定部と、上記順次表示における顔画像を含む画像に前後する画像の上記分類に応じて、上記順次表示の画像移行時に、上記顔画像の態様を変化させるための画像処理を行う画像処理部と、この画像処理された画像を仮想空間内で表示するための画像合成部と、上記画像合成部によって合成された仮想空間内の画像を送信する送信部と、を具備する。
【手続補正２０】
【補正対象書類名】明細書
【補正対象項目名】００２２
【補正方法】変更
【補正の内容】
【００２２】
本発明によれば、前後に表示される画像の態様に応じて、顔画像の態様を変化させるための画像処理を行うようにしたので、複数の画像を順次再生するにあたって、単調な画像の遷移とはならず、楽しむことのできる画像処理装置、画像処理方法、画像処理プログラム、および画像処理サーバーを提供することができる。